(57)【要約】【課題】  着用することにより腹直筋、大臀筋上部、中臀筋、小臀筋、大腿二頭筋及び大腿四頭筋の停止部から起始部までの筋肉全体による収縮活動を活発化させ、消費カロリーを増大させるボトムを提供する。【解決手段】  腰開口部６、股部７及び左右の脚開口部８を備え、着用者の肌に密着するボトム１において、伸縮性を有する本体領域２と、着用時、腹直筋、臀部筋群、大腿二頭筋、大腿四頭筋に対応する領域に、前記本体領域２よりも難伸縮性の横方向の加圧ライン３及び縦方向の加圧ライン４が交差するように複数本編成されてなる加圧領域５とを編成する。【選択図】図１
2010095823.tif 000002
【特許請求の範囲】
【請求項１】
腰開口部、股部及び左右の脚開口部を備え、着用者の肌に密着するボトムにおいて、伸縮性を有する本体領域と、着用時、腹直筋、臀部筋群、大腿二頭筋、大腿四頭筋に対応する領域に、前記本体領域よりも難伸縮性の横方向の加圧ライン及び縦方向の加圧ラインが交差するように複数本編成されてなる格子状の加圧領域とを編成することにより、前記横方向の加圧ラインが前記各筋肉の収縮活動を分断して擬似的に腱画を構成し、且つ前記縦方向の加圧ラインが肌へ密着し横方向の加圧ラインのブレを抑制することで、筋肉の収縮活動を活発化させるようにしたことを特徴とするボトム。
【請求項２】
上記請求項１に記載のボトムにおいて、前記横方向の加圧ラインは、上記各筋肉に対応する部位を含む本体領域に、着用時、横方向の輪状に形成される複数本の加圧ラインを所定の編成幅及び間隔で編成し、
前記縦方向の加圧ラインは、腰開口部から左右の脚開口部までの本体領域に編成された前記各横方向の加圧ライン間に、縦方向のラインを前記各横方向の加圧ラインに交差するように編成したことを特徴とするボトム。
【発明の詳細な説明】
【技術分野】
【０００１】
着用することにより、筋肉の収縮活動を活発化して消費カロリーを増大させることができるボトムを提供する。
【背景技術】
【０００２】
食事バランスの悪化や運動量低下による肥満は、肥満症或いはメタボリックシンドロームと呼ばれ、糖尿病や動脈硬化等、重病の原因となることから問題視されている。従来、そのような肥満を解消すべく、サウナスーツや発汗サポーター等を着用することで発汗を促したり、痩身サプリメント等を服用したり、或いは、軽いジョギング、ウォーキングやサイクリング等の有酸素運動をしたりして、消費カロリーを増やそうとしている。
【０００３】
また、着用するとダイエット効果のあるインナーウェアとして、インナーウェアの内面から内方に突出する畝が形成され、編地のコース方向に延在する直線状の畝と、該直線状の畝に接し且つ直線状の畝を挟んで向い合った２つの波状の畝とで組合された複合畝が多数本形成された複合畝領域を、着用時、大腿部及び足の付け根付近の腹部に対応する部分に設けることにより、該複合畝領域が着用者の腹部等をマッサージし、血行促進効果により身体を引き締めることができるインナーウェアが提供されている（特許文献１）。また、同様の目的で傾斜状の凸部を互い違いに形成したインナーウェアも提案されている（特許文献２）。
【特許文献１】特開２００４−２０４４１１
【特許文献２】特許第４０４７７４８号
【発明の開示】
【発明が解決しようとする課題】
【０００４】
しかしながら、サウナスーツや発汗サポーター等を着用した際の運動による消費カロリー量は、実際上サウナスーツ等を装着しない場合の運動時と大差なく、サウナスーツ等を着用しても主に発汗量のみ体重が減少するという効果を奏するに過ぎないため、それだけでは肥満を解消するに当たって大きな効果を期待することはできない。また、痩身サプリメント等を服用した際には、副作用の危険性もあるために使用に注意が必要である。
【０００５】
また、軽いジョギング、ウォーキングやサイクリング等の有酸素運動は、カロリー消費に適していると言われているものの、通常、有酸素運動時に収縮活動している筋肉は実際には筋腹の一部であって、腱近傍の筋肉両端では活発な収縮活動が行われておらず、停止部から起始部までの筋肉全体を収縮活動させていないために効率的なカロリー消費が行われていない（図５（ａ）参照。）。
【０００６】
さらに、上記特許文献１に記載のインナーウェアでは、インナーウェアの内面から内方に突出した複合畝が着用者の運動時等にマッサージ効果を発揮し、腹部周りの血行促進が行われることで身体の引き締め効果を奏するものの、運動時に活動する筋肉は筋腹の一部に留まるために、筋肉全体が収縮活動を行なった場合と比較して効率的なカロリー消費が行われていない。
【０００７】
一般的に、運動時に収縮活動を行なうのは、筋肉のうち主として筋腹の一部であって、腱近傍の筋肉両端においては殆ど収縮活動が行なわれていない。そのため、運動等による消費カロリーは、筋腹の一部の収縮活動によって消費される量に限られる。とは言え、同じ運動動作であっても筋肉全体を収縮活動させた場合には、筋腹の一部の収縮活動以上に消費するカロリー量が必要となるので、より多くのカロリー量が消費されることに疑いようはない。よって、筋肉の停止部から起始部までの全体による収縮活動を活発化させることができれば、同等の運動動作及び時間であっても、より効率的にカロリー消費することができる。特に、腹部、臀部及び大腿部は筋収縮活動が行われ難い部位であるため、外力を以って収縮活動の活発化を促す必要がある。
【０００８】
そこで、本発明は、着用することにより腹直筋、臀部筋群、大腿二頭筋及び大腿四頭筋の各停止部から起始部までの筋肉全体による収縮活動を活発化させ、消費カロリーを増大させることを目的としたボトムを提供することを課題とする。
【課題を解決するための手段】
【０００９】
上記の課題を解決するために、本発明は次のように構成した。すなわち、本発明に係る請求項１に記載のボトムは、腰開口部、股部及び左右の脚開口部を備え、着用者の肌に密着するボトムにおいて、伸縮性を有する本体領域と、着用時、腹直筋、臀部筋群、大腿二頭筋、大腿四頭筋に対応する領域に、前記本体領域よりも難伸縮性の横方向の加圧ライン及び縦方向の加圧ラインが交差するように複数本編成されてなる格子状の加圧領域とを編成することにより、前記横方向の加圧ラインが前記各筋肉の収縮活動を分断して擬似的に腱画を構成し、且つ前記縦方向の加圧ラインが肌への密着ブレを抑制することで、筋肉の収縮活動を活発化させるようにしたことを特徴としている。
【００１０】
また、本発明に係る請求項２に記載のボトムは、上記請求項１に記載のボトムにおいて、前記横方向の加圧ラインは、上記各筋肉に対応する部位を含む本体領域に、着用時、横方向の輪状に形成される複数本の加圧ラインを所定の編成幅及び間隔で編成し、前記縦方向の加圧ラインは、腰開口部から左右の脚開口部までの本体領域に編成された前記各横方向の加圧ライン間に、縦方向のラインを前記各横方向の加圧ラインに交差するように編成したことを特徴としている。
【発明の効果】
【００１１】
本発明に係るボトムを着用すれば、上記難伸縮性に編成された加圧領域のうち横方向の加圧ラインが、その着圧により加圧ライン上の筋肉を加圧して筋収縮活動を分断することにより擬似的に腱画を構成させ、且つ縦方向の加圧ラインが肌へ密着し、運動時の横方向の加圧ラインのブレを抑制することにより、擬似的な腱画内において短小化した筋収縮活動が、腱近傍の筋肉両端においても確実に行われるようになるため、停止部から起始部までの筋肉全体による収縮活動が活発化して消費カロリーを増大させることができる。また、横方向の加圧ラインを、着用時、横方向の輪状に形成することにより、上記各筋肉への加圧力の強化及び安定性を保持することができる。
【発明を実施するための最良の形態】
【００１２】
以下、本発明を実施するための最良の形態について、例示した図面に基づき具体的に説明する。ここで、ボトムとは、パンツ、スパッツ、ショーツ、ガードル、タイツ或いはストッキング等、着用時に腹部、臀部及び大腿部を覆って密着する衣類を指す。以下、ショーツを用いて説明する。
【００１３】
図１は、本発明に係るボトム１の正面図であり、図２は、ボトム１の背面図である。ボトム１は、本体領域２と、難伸縮性の横方向の加圧ライン３（以下、横ライン３と言う。）及び縦方向の加圧ライン４（以下、縦ライン４と言う。）が交差して格子状に形成されてなる加圧領域５とから構成される。当該加圧領域５は、ボトム１の着用時に、腹部（腹直筋）、臀部（大臀筋、中臀筋、小臀筋からなる臀部筋群）及び大腿部（大腿二頭筋、大腿四頭筋）を覆う部位に編成される。
【００１４】
図１に示す正面側の加圧領域５は、腹直筋及び大腿四頭筋に対応する部位に編成されている。正面側の加圧領域５のうち横ライン３は、幅０．５ｃｍ〜５．０ｃｍで編成されるとともに、腰開口部６から股部７までの本体領域２に、正面側編成の左右両端を結ぶ横方向のラインが３．０ｃｍ〜８．０ｃｍ間隔で３本編成され、さらに、股部７から脚開口部８までの本体領域２には、左右大腿部に対応する部位の夫々に横方向のラインが３．０ｃｍ〜８．０ｃｍ間隔で５本編成されている。なお、腰開口部６、股部７及び脚開口部８は、弾性糸を使用した通常のショーツと同じような伸縮力を有する構成であり、股部７については通気性の良いメッシュ素材を使用してもよい。
【００１５】
また、縦ライン４は、幅０．３ｃｍ〜３．０ｃｍで編成され、腰開口部６から股部７までの本体領域２において、腰開口部６から最上の横ライン３までの編成区域に、正面側編成の左右両端に夫々１本ずつと、中央軸α（縫目）の左右に夫々４本ずつの計１０本のラインが１．５ｃｍ〜８．０ｃｍ間隔で縦方向に編成されるとともに、下側の横ライン３が編成されるごとに左右両端の縦ライン４を除いて外側の縦ライン４を１本ずつ逓減させながら、中央軸αに対して左右対称に編成される。さらに、股部７から脚開口部８までの本体領域２には、上記縦ライン４の編成幅及び間隔で、左右大腿部に対応する部位の最上の横ライン３から次の横ライン３までの編成区域に、中央軸α寄りに左右に夫々２本ずつ縦方向のラインが編成されるとともに、下側の横ライン３が編成されるごとに縦ライン４を同本数で編成するか或いは外側に逓増させながら、中央軸αに対して左右対称に編成される。
【００１６】
このように、正面側編成において、横ライン３及び縦ライン４が交差して形成される加圧領域５は、着用時に腹直筋及び大腿四頭筋を覆う部位に編成される。なお、腹部下方に対応する編成領域に加圧領域５を設けないのは、鼠径部への過大な加圧は下肢の静脈還流を阻害する可能性があるためである。
【００１７】
また、図２に示す背面側の加圧領域５は、大臀筋上部、中臀筋、小臀筋、大腿二頭筋に対応する部位に編成されている。背面側の加圧領域５のうち横ライン３は、腰開口部６から股部７までの本体領域２に、上記横ライン３の編成幅及び間隔で、上記正面側の３本の横ライン３に対応する部位に背面側編成の左右両端を結ぶ横方向のラインが編成され、最下の横ライン３についてのみ左右両端から長さ１．０ｃｍ〜４．０ｃｍの横方向のラインが編成される。さらに、股部７から脚開口部８までの本体領域２には、上記正面側の横ライン３の編成位置に対応して、左右編成の夫々に横方向のラインが５本編成される。これら背面側の横ライン３は、夫々対応する正面側の横ライン３と連結して編成され、ボトム１の着用時において、横ライン３は輪状に形成される。
【００１８】
また、縦ライン４は、上記縦ライン４の編成幅及び間隔で、腰開口部６から股部７までの本体領域２において、腰開口部６から最上の横ライン３までの編成区域に、中央軸α（縫目）の左右に夫々４本ずつの計８本のラインが縦方向に編成され、最上の横ライン３からその下側の横ライン３までの編成区域には、中央軸αの左右夫々に３本ずつの計６本のラインが縦方向に編成され、更に、左右両端に長さ１．０ｃｍ〜４．０ｃｍで編成された最下の横ライン３の内端とその上側の横ライン３とを垂直に連結させる縦ライン４が編成され、夫々中央軸αに対して左右対称に編成される。また、股部７から脚開口部８までの本体領域２には、上記縦ライン４の編成幅及び間隔で、各横ライン３に挟まれた編成区域ごとに４本ずつ縦方向のラインが各横ライン３に交差するように中央軸αに対して左右対称に編成される。また、腰開口部６から股部７までの中央軸α上にも縦ライン４が編成されている。なお、該ボトム１を着用する者の臀部の形状によっては、例えば比較的臀部が大きい者が該ボトム１を着用した場合には、股部７から左右の脚開口部８までに編成された加圧領域５によって大臀筋の下部が加圧されることもある。
【００１９】
上記横ライン３及び縦ライン４の編成間隔は、着用者の体型や性別によって変更してもよいし、筋肉の大きさや形状によって変更してもよい。例えば、大腿四頭筋や大腿二頭筋のような比較的大きな筋肉に対しては横ライン３の編成間隔を大きく取ってもよいが、腹直筋のような多腹筋に対して、夫々多腹の腹ごとに筋収縮活動を活発化させるには間隔を小さく取る必要がある。
【００２０】
ここで、本体領域２及び加圧領域５の編成素材及び編組織について説明する。本体領域２は、高伸度低応力ポリウレタン弾性糸を芯糸としたカバリング糸によるプレーン編（平編）で、その着圧が０ｈｐａ〜３０ｈｐａとなるように編成され、横ライン３、縦ライン４以外を当該構成とし、芯糸として高伸度低応力ポリウレタン弾性糸を使用することにより、ボトム１の着用時に身体に密着する心地良い程度の全体圧着を保持し、且つカバリングの被覆糸としてナイロン糸等を使用することにより穿きやすさ及び肌触りの良さを確保する。
【００２１】
次に、加圧領域５のうち横ライン３は、本体領域２をベースにポリウレタン弾性糸を芯糸としたカバリング糸とナイロン糸とを１コース毎に交互に挿入して編成される。ポリウレタン弾性糸の挿入コースについては、一編み飛ばしのニットミス（ウエルト編）を設けて編み込み、また、ナイロン糸の挿入コースについてはプレーン編で編み込むことで、横ライン３の着圧が１０ｈｐａ〜５０ｈｐａとなるように編成される。図３は、横ライン３の編組織を具体的に示す図であって、プレーン編を○印で、ニットミスを×印で示す。まず、１コース目は、ポリウレタン弾性糸を使用し、１ウェル毎に一編み飛ばしのニットミスを設けて編成し、次に、２コース目は、ナイロン糸を使用したプレーン編により編成する。３コース目以降は、１コース目と２コース目の編みを交互に繰り返して編成し、編みコース数は、横ライン３の幅０．５ｃｍ〜５．０ｃｍに応じて調整する。ポリウレタン弾性糸のニットミスにより、横ライン３の横方向への伸縮性を抑制して本体領域２以上の着圧を得るとともに、ナイロン糸を１コース毎に挿入することにより、ボトム１の穿きやすさ及び肌触りの良さを確保する。なお、上記ニットミスを設ける編みコースに使用するカバリング糸は、所望の着圧を得られるのであれば、芯糸がポリウレタン弾性糸に限られるものではなく、また、芯糸とする弾性糸の伸縮性に応じて、或いは、着圧調整のためにニットミスの編み飛ばしを適宜増加させて編成しても良い。
【００２２】
次に、縦ライン４は、高伸度低応力ポリウレタン弾性糸を芯糸とするカバリング糸を使用して編みコース毎に以下の図４で説明する間隔に基づきニットミスを設け、縦ライン４の着圧が５ｈｐａ〜４０ｈｐａとなるように編成する。なお、カバリングの被覆糸は、肌触りの良いナイロン糸等を使用する。図４は、縦ライン４の編組織を具体的に説明する図であって、プレーン編を○印で、ニットミスを×印で示す。まず、１コース目は、始めに二編み飛ばしのニットミスを設けてからプレーン編を二編みし、続けて二編み飛ばしのニットミスとプレーン編とを繰り返して編成する。２コース目から８コース目までは、１コース目と同じように編成し、二編み飛ばしのニットミスを縦方向に連続させる。次に、９コース目は、始めにプレーン編を二編みしてから二編み飛ばしのニットミスを設け、続けてプレーン編と二編み飛ばしのニットミスとを繰り返して編成する。１０コース目から１６コース目までは、９コース目と同じように編成し、二編み飛ばしのニットミスを縦方向に連続させる。
【００２３】
このように、縦ライン４は、二編み飛ばしのニットミスを設ける編成位置とプレーン編を二編みする編成位置とを８コース毎に入れ替えながら編成され、図示しない１７コース目以降も１コース目から１６コース目までと同様の編成を繰り返す。このように、ニットミスの編成位置を入れ替えながら縦方向に連続して編成することにより、縦ライン４の伸縮性を抑制し、ボトム１の着用時、縦ライン４の編成に縦方向の加圧力を得ることができる。また、カバリングの被覆糸にナイロン糸等を使用することで、穿きやすさ及び肌触りの良さを確保する。なお、上述の各カバリング糸は、芯材とする弾性糸の素材等に応じて、シングルカバリング糸又はダブルカバリング糸のどちらを使用してもよい。なお、縦ライン４の編成は、所望の着圧を得られるのであれば、ポリウレタン弾性糸に限られるものではなく、また、芯糸とする弾性糸の伸縮性に応じて、或いは、着圧調整のためにニットミスの編み飛ばしを適宜増減させて編成しても良い。
【００２４】
上記各領域は、本体領域２が０ｈｐａ〜３０ｈｐａ、加圧領域５のうち横ライン３が１０ｈｐａ〜５０ｈｐａ、縦ライン４が５ｈｐａ〜４０ｈｐａの着圧で編成されるが、ボトム１の編成時には、これら圧力値の範囲内において常に横ライン３≧縦ライン４＞本体領域２となる着圧で編成される。なお、着圧は、標準サイズのボトム１を常時着用している体型の人体に着用させ、エアパック方式の株式会社エイエムアイ製衣服圧変換器ＡＭＩ３０３７型を使用して測定したときのものである。
【００２５】
図５は、ボトム１を着用した場合の筋収縮を示す図であり、同図（ａ）は、未着用の場合の大腿四頭筋９の筋収縮を示し、同図（ｂ）は、ボトム１を着用した場合の大腿四頭筋９の筋収縮活動を示す。ここでは大腿四頭筋９を例示して説明するが、加圧領域５の編成に対応する腹直筋、大臀筋上部、中臀筋や小臀筋等、他の筋肉についても、ボトム１を着用すれば同様の筋収縮活動を行なうものである。未着用の場合の大腿四頭筋９は、腱近傍の上下端において殆ど収縮活動は行われず、中央近傍の筋腹の一部において主に行われている。筋収縮活動の様子は、図中に矢印を以って示す。以上の通り編成されたボトム１を着用すると、本体領域２の全体着圧でボトム１が着用者に密着し、格子状の加圧領域５のうち横ライン３が本体領域２以上の着圧により大腿四頭筋９をライン上で加圧して擬似的に腱画を構成させて筋収縮活動を分断し、各腱画内で短小化された筋収縮活動が行われるようになる。
【００２６】
すなわち、大腿四頭筋９の筋腹の一部でのみ行われていた収縮活動は、筋肉に擬似的な腱画を構成して細分化することにより、夫々の腱画内において短小化されて収縮活動が行われるので、腱近傍の筋肉両端でも筋収縮活動が行われるようになり、その結果、大腿四頭筋９全体として収縮活動が活発化したことになる。また、図５には図示しないが、縦ライン４は、肌へ密着し横ライン３の運動時のブレを抑制することにより、活発な筋収縮活動が確実に行われるように対応する部位を加圧する。以上により、筋収縮活動が活発化して、消費カロリーを増大させることができ、肥満を効率的に解消することができる。
【００２７】
次に、ボトム１を着用して運動した際の消費カロリーについて、以下の通り実験例を示す。実験は、被験者である２０代女性３人に対して、室温２５℃、湿度５０％ＲＨの環境実験室内で、トレッドミル（歩行機器）上を速度５．３ｋｍ／ｈで２０分間歩行した際の消費カロリーを、未着用の場合、ボトム１を着用した場合及び従来品を着用した場合に分けて測定した。
【００２８】
図６に、３人の個人別消費カロリーを表及び棒グラフにして示す。個人別の表に示す通り、被験者Ａが２０分間の歩行中に消費したカロリー量は、未着用の場合には６２．６３ｋｃａｌ、ボトム１を着用した場合には６８．１６ｋｃａｌ、従来品を着用した場合には６４．４４ｋｃａｌであった。ボトム１を着用した場合に消費したカロリー量は、未着用の場合に消費したカロリー量と比較して８．８％も増大しており、従来品を着用した場合の増大率２．９％（対未着用の場合比）に対して約３．０倍も消費カロリー量が増大している。また、被験者Ｂが２０分間の歩行中に消費したカロリー量は、未着用の場合には６１．５３ｋｃａｌ、ボトム１を着用した場合には６３．１９ｋｃａｌ、従来品を着用した場合には６２．００ｋｃａｌであり、ボトム１を着用した場合に消費したカロリー量は、未着用の場合に消費したカロリー量と比較して２．７％増大しており、従来品を着用した場合の増大率０．８％（対未着用の場合比）に対して約３．４倍も消費カロリー量が増大している。また、被験者Ｃが２０分間の歩行中に消費したカロリー量は、未着用の場合には６３．３４ｋｃａｌ、ボトム１を着用した場合には６７．８５ｋｃａｌ、従来品を着用した場合には６６．０４ｋｃａｌであり、ボトム１を着用した場合に消費したカロリー量は、未着用の場合に消費したカロリー量と比較して７．１％も増大しており、従来品を着用した場合の増大率４．３％（対未着用の場合比）に対して消費カロリー量が約１．７倍増大している。
【００２９】
図７は、３人の平均消費カロリーを表及び棒グラフにして示したものであり、ボトム１を着用した場合の平均消費カロリー量６６．４０ｋｃａｌは、未着用時の平均消費カロリー６２．５０ｋｃａｌに対して６．２％も増大しており、従来品の平均消費カロリー増大率２．７％（対未着用の場合比）に対して約２．３倍も消費カロリー量が増大している。消費カロリー量は、被験者の体重等によって相違するとは言え、いずれにせよ各被験者の消費カロリーは未着用の場合或いは従来品を着用した場合と比較して顕著に増大した。
【００３０】
以上の実験により、未着用の場合及び従来品を着用した場合と比較して、ボトム１を着用した場合には、同等の運動動作及び時間であっても消費カロリーが増大し、効率的にカロリー消費されていることが認められる。なお、本実験に用いたボトム１は、図１乃至４で示した構成を再現し、本体領域２の着圧を１３ｈｐａとし、横ライン３の着圧を２３ｈｐａ、編成幅を１．０ｃｍ、編成間隔を腰開口部６から股部７までの編成領域については３．５ｃｍ、股部７から左右の脚開口部８までの編成領域については４．５ｃｍとし、縦ライン４の着圧を１４ｈｐａ、編成幅を０．５ｃｍ、編成間隔を２．０ｃｍとして、Ｍ寸サイズに構成したものである。
【００３１】
上記実施例では、横ライン３を着用時に輪状になるように編成したが、腹直筋、臀部筋群、大腿二頭筋、大腿四頭筋に対応する部位に、横ライン３を輪状とはせずに、１つの区切られた領域として横ライン３及び縦ライン４からなる格子状の加圧領域５を編成してもよい。ただし、上記実施例のように、横ライン３を着用時に輪状となるよう編成した方がより加圧力の強化及び安定性を保持することができる。
【００３２】
上記実施例において構成した横ライン３及び縦ライン４の編成本数は、上記実施例で示したものに限られるものではなく、着用者の体型、年齢や性別等に応じて変更してもよい。また、図１及び図２の表示において、股部７近傍及び臀部下方に、横ライン３及び縦ライン４を編成しなかったのは、臀部への締付けが着用時の負担になる場合があるためであって、別段負担にならない場合、例えば、着用者がやせ型であった場合或いは臀部に対応する本体領域２の編成を臀部が大き目の人用に余裕を持たせた場合等には、横ライン３及び縦ライン４を設けてもよい。また、腹直筋、臀部筋群（大臀筋、中臀筋、小臀筋）、大腿二頭筋及び大腿四頭筋に対応する加圧領域５は、各筋肉のうち、いずれか一つに対応させて編成してもよいし、これらの筋肉のうちいずれか任意の組合せに対応させて編成してもよい。
【産業上の利用可能性】
【００３３】
上記実施例以外にも、水着など下半身に密着するものであれば何でも、加圧領域５を設けることで擬似的に腱画を構成させれば、短小化した筋収縮活動が、腱近傍の筋肉両端においても確実に行われるようになるため、停止部から起始部までの筋肉全体による収縮活動が活発化して消費カロリーを増大させることができる。
【図面の簡単な説明】
【００３４】
【図１】本発明に係るボトムを示す正面図である。
【図２】当該ボトムを示す背面図である。
【図３】当該ボトムの横ラインの編組織を示す図である。
【図４】当該ボトムの縦ラインの編組織を示す図である。
【図５】当該ボトムを着用した場合の筋収縮を示す図である。
【図６】実験例における個人別消費カロリーの表及び棒グラフを示す図である。
【図７】実験例における平均消費カロリーの表及び棒グラフを示す図である。
【符号の説明】
【００３５】
１    ボトム
２    本体領域
３    横方向の加圧ライン（横ライン）
４    縦方向の加圧ライン（縦ライン）
５    加圧領域
６    腰開口部
７    股部
８    脚開口部
９    大腿四頭筋
α    中央軸
○    プレーン編
×    ニットミス
【図１】
2010095823.tif 000003
【図２】
2010095823.tif 000004
【図３】
2010095823.tif 000005
【図４】
2010095823.tif 000006
【図５】
2010095823.tif 000007
【図６】
2010095823.tif 000008
【図７】
2010095823.tif 000009